(57)【要約】  通信システムを選択するための情報が基地局装置から端末装置に対して通知される無線通信システムであって、基地局装置は、情報のすべてあるいは一部をグループ毎の情報として報知情報に含めて報知し、端末装置は、ＲＲＣ層のメッセージを解析するＲＲＣ制御部と、ユーザデータを送受信するための通信システムを選択するインターフェース選択部とを具備し、ＲＲＣ制御部は、ＲＲＣ層のメッセージとして基地局装置から報知された情報から自端末装置の属するグループの情報を選択し、インターフェース選択部は、選択された情報に含まれる閾値情報と、閾値情報と比較される測定値と、比較を条件に含む通信システム選択のためのポリシーとに基づいてユーザデータのすべてあるいは一部を送受信する通信システムを選択する。
2015045701.tif 000002
【特許請求の範囲】
【請求項１】
通信システムを選択するための情報が基地局装置から端末装置に対して通知される無線通信システムであって、
前記基地局装置は、前記情報のすべてあるいは一部をグループ毎の情報として報知情報に含めて報知し、
前記端末装置は、ＲＲＣ層のメッセージを解析するＲＲＣ制御部と、ユーザデータを送受信するための通信システムを選択するインターフェース選択部とを具備し、
前記ＲＲＣ制御部は、ＲＲＣ層のメッセージとして前記基地局装置から報知された前記情報から自端末装置の属するグループの情報を選択し、
前記インターフェース選択部は、選択された前記情報に含まれる閾値情報と、前記閾値情報と比較される測定値と、前記比較を条件に含む通信システム選択のためのポリシーとに基づいてユーザデータのすべてあるいは一部を送受信する通信システムを選択する無線通信システム。
【請求項２】
通信システムを選択するための情報を基地局装置から受信する端末装置であって、
ＲＲＣ層のメッセージを解析するＲＲＣ制御部と、ユーザデータを送受信するための通信システムを選択するインターフェース選択部とを具備し、
前記ＲＲＣ制御部は、ＲＲＣ層のメッセージとして前記基地局装置から報知される前記情報から自端末装置の属するグループの情報を選択し、
前記インターフェース選択部は、選択された前記情報に含まれる閾値情報と、前記閾値情報と比較される測定値と、前記比較を条件に含む通信システム選択のためのポリシーとに基づいてユーザデータのすべてあるいは一部を送受信する通信システムを選択する端末装置。
【請求項３】
通信システムを選択するための情報を基地局装置から受信する端末装置に適用される無線通信方法であって、
ＲＲＣ層のメッセージとして前記基地局装置から報知される前記情報から自端末装置の属するグループの情報を選択するステップと、
選択された前記情報に含まれる閾値情報と、前記閾値情報と比較される測定値と、前記比較を条件に含む通信システム選択のためのポリシーとに基づいてユーザデータのすべてあるいは一部を送受信する通信システムを選択するステップとを少なくとも含む無線通信方法。
【請求項４】
通信システムを選択するための情報を基地局装置から受信する端末装置に搭載される集積回路であって、
ＲＲＣ層のメッセージとして前記基地局装置から報知される前記情報から自端末装置の属するグループの情報を選択する機能と、
選択された前記情報に含まれる閾値情報と、前記閾値情報と比較される測定値と、前記比較を条件に含む通信システム選択のためのポリシーとに基づいてユーザデータのすべてあるいは一部を送受信する通信システムを選択する機能とを少なくとも前記端末装置に発揮させる集積回路。
【発明の詳細な説明】
【技術分野】
【０００１】
本発明の実施形態は、端末装置の種類に応じた無線アクセスネットワーク補助情報を用いる無線通信システム、端末装置、無線通信方法および集積回路に関する。
本願は、２０１３年９月２６日に、日本に出願された特願２０１３−１９９９０９号に基づき優先権を主張し、その内容をここに援用する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降ＥＵＴＲＡと称する）の標準化が行なわれた。【０００３】
また、３ＧＰＰでは、ＥＵＴＲＡの更なる進化のＡｄｖａｎｃｅｄ−ＥＵＴＲＡの標準化作業も行なわれている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことが想定されている。【０００４】
さらに、Ａｄｖａｎｃｅｄ−ＥＵＴＲＡでは、スマートフォンなどのインターネットへのアクセスによるトラフィックの急増への対応についても検討しており、ＥＵＴＲＡだけではトラフィックを処理しきれなくなる場合に、状況に応じてＥＵＴＲＡから無線ＬＡＮ（ＷＬＡＮ）、ＷｉＭＡＸといった他のアクセスシステムへトラフィックを切り替えて、ＥＵＴＲＡへのトラフィックの集中を回避する仕組み（オフロードする仕組み）を検討している。【０００５】
非特許文献１には、端末装置がアクセスシステムの切り替え手続きにおいて、ＡＮＤＳＦ（Access Network Discovery and Selection Function）を利用する方法について記載されている。ＡＮＤＳＦとは、端末装置が通信中もしくは通信を行う一又は複数のフローに対して、（あるいはアクセスポイントネーム（ＡＰＮ）毎に対して、）アクセスシステムを選択するために、モバイルオペレータにより設定されるポリシーを端末装置へ配信するための機能である。【０００６】
非特許文献１では、このＡＮＤＳＦにより配信されたポリシーに基づきアクセスシステムを選択する際に、基地局装置から端末装置へ通知された無線アクセスネットワーク補助情報や端末装置における測定情報を用いることが記載されている。
【先行技術文献】
【非特許文献】
【０００７】
【非特許文献１】３ＧＰＰ  ＴＲ（Ｔｅｃｈｎｉｃａｌ  Ｒｅｐｏｒｔ）３７．８３４、Ｖ０．３．０、Ｓｔｕｄｙ  ｏｎ  ＷＬＡＮ／３ＧＰＰ  Ｒａｄｉｏ  Ｉｎｔｅｒｗｏｒｋｉｎｇ
【発明の概要】
【発明が解決しようとする課題】
【０００８】
非特許文献１には、無線アクセスネットワーク補助情報として、負荷情報や、リソース割り当て情報や、受信電力に基づく評価を行うための閾値などが、基地局装置から端末装置に報知され、前記無線アクセスネットワーク補助情報や、端末装置において測定されたアクセスシステム（ＥＵＴＲＡやＷＬＡＮ，ＷｉＭＡＸ等）毎の受信電力等の測定値などを用いて、ＡＮＤＳＦにより配信されるポリシーに基づいてアクセスシステムを切り替えることが記載されている。【０００９】
しかしながら、端末装置に報知される無線アクセスネットワーク補助情報として上述のパラメータを用いることは提案されているが、端末装置の種類に応じた制御などについては具体的な検討がなされておらず、端末装置の種類に基づいた効率的なオフロードを行うことができない。【００１０】
そのため、本発明の実施形態は、端末装置の種類に応じた無線アクセスネットワーク補助情報を用いる無線通信システム、端末装置、無線通信方法および集積回路を提供することによって上記の課題を解決することを目的とする。
【課題を解決するための手段】
【００１１】
上記の目的を達成するために、本発明の各実施形態は、以下のような手段を講じた。
本発明の第１の形態は、通信システムを選択するための情報が基地局装置から端末装置に対して通知される無線通信システムであって、前記基地局装置は、前記情報のすべてあるいは一部をグループ毎の情報として報知情報に含めて報知し、前記端末装置は、ＲＲＣ層のメッセージを解析するＲＲＣ制御部と、ユーザデータを送受信するための通信システムを選択するインターフェース選択部とを具備し、前記ＲＲＣ制御部は、ＲＲＣ層のメッセージとして前記基地局装置から報知された前記情報から自端末装置の属するグループの情報を選択し、前記インターフェース選択部は、選択された前記情報に含まれる閾値情報と、前記閾値情報と比較される測定値と、前記比較を条件に含む通信システム選択のためのポリシーとに基づいてユーザデータのすべてあるいは一部を送受信する通信システムを選択する無線通信システムである。【００１２】
本発明の第２の形態は、通信システムを選択するための情報を基地局装置から受信する端末装置であって、ＲＲＣ層のメッセージを解析するＲＲＣ制御部と、ユーザデータを送受信するための通信システムを選択するインターフェース選択部とを具備し、前記ＲＲＣ制御部は、ＲＲＣ層のメッセージとして前記基地局装置から報知される前記情報から自端末装置の属するグループの情報を選択し、前記インターフェース選択部は、選択された前記情報に含まれる閾値情報と、前記閾値情報と比較される測定値と、前記比較を条件に含む通信システム選択のためのポリシーとに基づいてユーザデータのすべてあるいは一部を送受信する通信システムを選択する端末装置である。【００１３】
本発明の第３の形態は、通信システムを選択するための情報を基地局装置から受信する端末装置に適用される無線通信方法であって、ＲＲＣ層のメッセージとして前記基地局装置から報知される前記情報から自端末装置の属するグループの情報を選択するステップと、選択された前記情報に含まれる閾値情報と、前記閾値情報と比較される測定値と、前記比較を条件に含む通信システム選択のためのポリシーとに基づいてユーザデータのすべてあるいは一部を送受信する通信システムを選択するステップとを少なくとも含む無線通信方法である。【００１４】
本発明の第４の形態は、通信システムを選択するための情報を基地局装置から受信する端末装置に搭載される集積回路であって、ＲＲＣ層のメッセージとして前記基地局装置から報知される前記情報から自端末装置の属するグループの情報を選択する機能と、選択された前記情報に含まれる閾値情報と、前記閾値情報と比較される測定値と、前記比較を条件に含む通信システム選択のためのポリシーとに基づいてユーザデータのすべてあるいは一部を送受信する通信システムを選択する機能とを少なくとも前記端末装置に発揮させる集積回路である。【００１５】
本明細書では、端末装置の種類に応じた無線アクセスネットワーク補助情報を用いる無線通信システム、端末装置、無線通信方法および集積回路に関する技術という点において各実施形態を開示するが、各実施形態に対して適用可能な通信方式は、ＥＵＴＲＡまたはＡｄｖａｎｃｅｄ  ＥＵＴＲＡのようにＥＵＴＲＡと互換性のある通信方式のみに限定されるものではない。【００１６】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。
【発明の効果】
【００１７】
以上、説明したように、本発明の一形態によれば、端末装置の種類に応じた無線アクセスネットワーク補助情報を用いる無線通信システム、端末装置、無線通信方法および集積回路を提供することができる。
【図面の簡単な説明】
【００１８】
【図１】本発明の実施形態に係る端末装置のＥＵＴＲＡ通信部の概略構成の一例を示すブロック図である。
【図２】本発明の実施形態に係る基地局装置の概略構成の一例を示すブロック図である。
【図３】本発明の実施形態に係る端末装置の概略構成の一例を示すブロック図である。
【図４】本発明の第１の実施形態に係る端末装置における、ポリシーおよび無線アクセスネットワーク補助情報の取得方法に関するシーケンスチャート図の一例を示したものである。
【図５】本発明の実施形態に係る無線アクセスネットワーク補助情報の一例を示す図である。
【図６】本発明の第２の実施形態に係る端末装置における、ポリシーおよび無線アクセスネットワーク補助情報の取得方法に関するシーケンスチャート図の一例を示したものである。
【図７】本発明の実施形態に係るユーザ平面（ＵＰ（Ｕｓｅｒ−ｐｌａｎｅ、Ｕ−Ｐｌａｎｅ））プロトコルスタックを表す図である。
【図８】本発明の実施形態に係る制御平面（ＣＰ（Ｃｏｎｔｒｏｌ−ｐｌａｎｅ、Ｃ−Ｐｌａｎｅ））プロトコルスタックを表す図である。
【発明を実施するための形態】
【００１９】
本発明の各実施形態に関わる技術について以下に簡単に説明する。
【００２０】
[物理チャネル／物理シグナル]
ＥＵＴＲＡおよびＡｄｖａｎｃｅｄ  ＥＵＴＲＡで使用される主な物理チャネル、物理シグナルについて説明を行なう。チャネルとは信号の送受信に用いられる媒体を意味し、物理チャネルとは信号の送受信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本発明の各実施形態の説明には影響しない。
【００２１】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２２】
同期シグナル（Ｓｙｎｃｈｒｏｎｉｚａｔｉｏｎ  Ｓｉｇｎａｌｓ）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（ＰＣＩ：Ｐｈｙｓｉｃａｌ  Ｃｅｌｌ  Ｉｄｅｎｔｉｔｙ））と、無線同期のためのフレームタイミングが示される。端末装置は、セルサーチによって受信した同期シグナルの物理セルＩＤを特定する。
【００２３】
物理報知情報チャネル（ＰＢＣＨ：Ｐｈｙｓｉｃａｌ  Ｂｒｏａｄｃａｓｔ  ＣＨａｎｎｅｌ）は、セル内の端末装置で共通に用いられる制御パラメータ（報知情報（システム情報（ＳＩ：Ｓｙｓｔｅｍ  Ｉｎｆｏｒｍａｔｉｏｎ）））を通知（設定）する目的で送信される。物理報知情報チャネルで通知されない報知情報は、物理下りリンク制御チャネルで報知情報が送信される無線リソースがセル内の端末装置に対して通知され、通知された無線リソースにおいて、物理下りリンク共用チャネルによって報知情報を通知するレイヤ３メッセージ（システムインフォメーション）が送信される。
【００２４】
報知情報として、セル個別の識別子を示すセルグローバル識別子（ＣＧＩ：Ｃｅｌｌ  Ｇｌｏｂａｌ  Ｉｄｅｎｔｉｆｉｅｒ）、ページングによる待ち受けエリアを管理するトラッキングエリア識別子（ＴＡＩ：Ｔｒａｃｋｉｎｇ  Ａｒｅａ  Ｉｄｅｎｔｉｆｉｅｒ）、ランダムアクセス設定情報、送信タイミング調整情報、当該セルにおける共通無線リソース設定情報、周辺セル情報、上りリンクアクセス制限情報などが通知される。
【００２５】
下りリンクリファレンスシグナルは、その用途によって複数のタイプに分類される。例えば、セル固有ＲＳ（ＣＲＳ：Ｃｅｌｌ-ｓｐｅｃｉｆｉｃ  Ｒｅｆｅｒｅｎｃｅ  Ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としても下りリンクセル固有ＲＳを使用する。セル固有ＲＳに使用される系列は、セル毎に識別可能な系列が用いられる。
【００２６】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）またはＤｅｄｉｃａｔｅｄ  ＲＳ（ＤＲＳ）と称され、物理下りリンク制御チャネル、または物理下りリンク共用チャネルを復調するときのチャネルの伝搬路補償処理のために参照される。
【００２７】
物理下りリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  ＣＨａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００２８】
端末装置は、下りリンクデータや下りリンク制御データであるレイヤ３メッセージ（ページング、ハンドオーバコマンドなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００２９】
物理上りリンク制御チャネル（ＰＵＣＣＨ：Ｐｈｙｓｉｃａｌ  Ｕｐｌｉｎｋ  Ｃｏｎｔｒｏｌ  ＣＨａｎｎｅｌ）は、物理下りリンク共用チャネルで送信されたデータの受信確認応答（ＡＣＫ／ＮＡＣＫ：ＡＣＫｎｏｗｌｅｄｇｅｍｅｎｔ／Ｎｅｇａｔｉｖｅ  ＡＣＫｎｏｗｌｅｄｇｅｍｅｎｔ）や下りリンクの伝搬路（チャネル状態）情報（ＣＳＩ：Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ：Ｓｃｈｅｄｕｌｉｎｇ  Ｒｅｑｕｅｓｔ））を行なうために使用される。
【００３０】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００３１】
物理下りリンク共用チャネル（ＰＤＳＣＨ：Ｐｈｙｓｉｃａｌ  Ｄｏｗｎｌｉｎｋ  Ｓｈａｒｅｄ  ＣＨａｎｎｅｌ）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００３２】
物理上りリンク共用チャネル（ＰＵＳＣＨ：Ｐｈｙｓｉｃａｌ  Ｕｐｌｉｎｋ  Ｓｈａｒｅｄ  ＣＨａｎｎｅｌ）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００３３】
上りリンクリファレンスシグナル（Ｕｐｌｉｎｋ  Ｒｅｆｅｒｅｎｃｅ  Ｓｉｇｎａｌ）（上りリンク参照信号、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ：Ｄｅｍｏｄｕｌａｔｉｏｎ  Ｒｅｆｅｒｅｎｃｅ  Ｓｉｇｎａｌ）と、基地局装置が、主に、上りリンクのチャネル状態を推定するために使用するサウンディング参照信号（ＳＲＳ：Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００３４】
物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００３５】
端末装置は、物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（ＴＡ：Ｔｉｍｉｎｇ  Ａｄｖａｎｃｅ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００３６】
なお、それ以外の物理チャネルまたは物理シグナルは、本発明の各実施形態に関わらないため詳細な説明は省略する。説明を省略した物理チャネルまたは物理シグナルとして、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、物理ＨＡＲＱ指示チャネル（ＰＨＩＣＨ：Ｐｈｙｓｉｃａｌ  Ｈｙｂｒｉｄ  ＡＲＱ  Ｉｎｄｉｃａｔｏｒ  ＣＨａｎｎｅｌ）、物理マルチキャストチャネル（ＰＭＣＨ：Ｐｈｙｓｉｃａｌ  Ｍｕｌｔｉｃａｓｔ  ＣＨａｎｎｅｌ）などがある。
【００３７】
[無線ネットワーク]
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。
【００３８】
端末装置は、セルの中を通信エリアとみなして動作する。端末装置が、あるセルから別のセルへ移動するときは、ＲＲＣ待ち受け（ＲＲＣ＿ＩＤＬＥ）状態ではセル再選択手順、ＲＲＣ接続（ＲＲＣ＿ＣＯＮＮＥＣＴＥＤ）状態ではハンドオーバ手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００３９】
端末装置がある基地局装置と通信可能であるとき、その基地局装置のセルのうち、端末装置との通信に使用されるように設定されているセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。
【００４０】
[無線プロトコル構造]
図７は、ＥＵＴＲＡの無線ネットワーク（ＥＵＴＲＡＮ）の端末装置及び基地局装置のユーザデータを扱うユーザ平面（ＵＰ（Ｕｓｅｒ−ｐｌａｎｅ、Ｕ−Ｐｌａｎｅ））プロトコルスタックを表す図である。また、図８は、制御データを扱う制御平面（ＣＰ（Ｃｏｎｔｒｏｌ−ｐｌａｎｅ、Ｃ−Ｐｌａｎｅ））プロトコルスタックを表す図である。
【００４１】
図７および図８において、物理層（Physical layer：ＰＨＹ層）は、物理チャネル（Physical Channel）を利用して上位層に伝送サービスを提供する。ＰＨＹ層は、上位の媒体アクセス制御層（Medium Access Control layer：ＭＡＣ層）とトランスポートチャネルで接続される。トランスポートチャネルを介して、ＭＡＣ層とＰＨＹ層とレイヤ（layer：層）間でデータが移動する。端末装置と基地局装置のＰＨＹ層間において、物理チャネルを介してデータの送受信が行われる。
【００４２】
ＭＡＣ層は、多様な論理チャネルを多様なトランスポートチャネルにマッピングを行う。ＭＡＣ層は、上位の無線リンク制御層（Radio Link Control layer：ＲＬＣ層）とは論理チャネルで接続される。論理チャネルは、伝送される情報の種類によって大きく分けられ、制御情報を伝送する制御チャネルとユーザ情報を伝送するトラフィックチャネルに分けられる。ＭＡＣ層は、間欠受送信（ＤＲＸ・ＤＴＸ）を行うためにＰＨＹ層の制御を行う機能、ランダムアクセス手順を実行する機能、送信電力の情報を通知する機能、ＨＡＲＱ制御を行う機能などを持つ。
【００４３】
ＲＬＣ層は、上位層から受信したデータを分割（Segmentation）及び結合(Concatenation)し、下位層が適切にデータ送信できるようにデータサイズを調節する。また、ＲＬＣ層は、各データが要求するＱｏＳ（Quality of Service）を保証するための機能も持つ。すなわち、ＲＬＣ層は、データの再送制御等の機能を持つ。
【００４４】
パケットデータコンバージェンスプロトコル層（Packet Data Convergence Protocol layer：ＰＤＣＰ層）は、ユーザデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００４５】
さらに、制御平面プロトコルスタックには、無線リソース制御層（Radio Resource Control layer：ＲＲＣ層）がある。ＲＲＣ層は、無線ベアラ（Radio Bearer：ＲＢ）の設定・再設定を行い、論理チャネル、トランスポートチャネル及び物理チャネルの制御を行う。ＲＢは、シグナリグ無線ベアラ（Signaling Radio Bearer：ＳＲＢ）とデータ無線ベアラ（Data Radio Bearer：ＤＲＢ）とに分けられ、ＳＲＢは、制御情報であるＲＲＣメッセージを送信する経路として利用される。ＤＲＢは、ユーザ情報を送信する経路として利用される。基地局装置と移動局装置のＲＲＣ層間で各ＲＢの設定が行われる。
【００４６】
尚、ＰＨＹ層は一般的に知られる開放型システム間相互接続（Open Systems Interconnection：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００４７】
また、ネットワークと端末装置との間で用いられるシグナリングプロトコルは、アクセス層（Access Stratum：ＡＳ）プロトコルと非アクセス層（Non-Access Stratum：ＮＡＳ）プロトコルとに分割される。例えば、ＲＲＣ層以下のプロトコルは、端末装置と基地局装置との間で用いられるアクセス層プロトコルである。また、端末装置の接続管理（Connection Management：ＣＭ）やモビリティ管理（Mobility Management：ＭＭ）などのプロトコルは非アクセス層プロトコルであり、端末装置とコアネットワーク（ＣＮ）との間で用いられる。例えば図８に示すように、端末装置とモバイル管理エンティティ（Mobility Management Entity：ＭＭＥ）との間で、非アクセス層プロトコルを用いた通信が、基地局装置を介して透過的に行われる。
【００４８】
[ＡＮＤＳＦ]
ＡＮＤＳＦ（Access Network Discovery and Selection Function）は、端末装置が通信中もしくは通信を行う一又は複数のフローに対して、通信に用いるシステムを選択するために、モバイルオペレータにより設定されるポリシーを端末装置へ配信するための機能である。ＡＮＤＳＦサーバと端末装置との通信には、オープンモバイルアライアンスデバイスマネジメント（Open Mobile Alliance-Device Management：ＯＭＡ−ＤＭ）規格と互換性のあるＭＯ（Ｍａｎａｇｅｍｅｎｔ  Ｏｂｊｅｃｔ）が用いられる。ＡＮＤＳＦ  ＭＯは階層化された情報であり、システム間のモビリティに関するポリシー（Inter-System Mobility Policy：ＩＳＭＰ）や、他のシステムを検出のための情報（ＤｉｓｃｏｖｅｒｙＩｎｆｏｒｍａｔｉｏｎ）や、端末装置の位置情報（ＵＥ＿Ｌｏｃａｔｉｏｎ）や、システム間のルーティングに関するポリシー（Inter-System Routing Policy：ＩＳＲＰ）や端末装置のＯＳや能力に関するプロファイル情報（ＵＥ＿Ｐｒｏｆｉｌｅ）などが含まれる。
【００４９】
上記ＩＳＭＰやＩＳＲＰには、優先されるシステムと、優先される場所、優先される時間などの組み合わせがルールとして含まれている。このルールが複数設定される場合には各ルールに設定される優先度（ＲｕｌｅＰｒｉｏｒｉｔｙ）に基づき、システムを選択することができる。
【００５０】
また、前述のように非特許文献１では、無線アクセスネットワーク補助情報（ＲＡＮ補助情報）や、端末装置において測定されたアクセスシステム（ＥＵＴＲＡやＷＬＡＮ，ＷｉＭＡＸ等）毎の受信電力等の測定値などを用いることが検討されている。例えばＲＡＮ補助情報として、基地局装置の負荷情報やシステム変更のための閾値が通知される場合、基地局装置の負荷が既定値を超える場合や、受信電力の測定値が通知された閾値を下回る場合に、ＷＬＡＮを選択するようにルールを拡張することが考えられる。
【００５１】
[アクセスクラス]
３ＧＰＰで規定されている移動通信システムでは、各々の端末装置は、アクセスクラス（Access Class：ＡＣ）０〜９の内のいずれか１つを保有している。
【００５２】
また、ネットワーク運用者や警察や政府関係者等のための特殊な端末装置は、ＡＣ１１〜１５を保有する場合がある。なお、ＡＣ１０は、緊急呼用ＡＣで、端末装置に保有されるものではなく、１１０番や１１９番（日本の場合）発信時等に使われるＡＣである。
【００５３】
ＥＵＴＲＡでは、端末装置は、着信応答呼や緊急呼や発信呼やシグナリング呼といった呼の種別に応じて、また、自身が属するＡＣや報知情報に含まれる規制情報に応じて、発信を行うことができるか否かについて判定するように構成されている。
【００５４】
以上の事項を考慮しつつ、以下、添付図面を参照しながら本発明の好適な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００５５】
［第１の実施形態］
本発明の第１の実施形態について以下に説明する。
【００５６】
図１は、本発明の実施形態における、端末装置の構成の一例を示す図である。図１において、端末装置１は、ポリシー受信部１０１、ポリシー保持部１０２、インターフェース選択部１０３、ユーザポリシー処理部１０４、ＷＬＡＮ通信部１０５、およびＥＵＴＲＡ通信部２から構成される。
【００５７】
ポリシー受信部１０１はＥＵＴＲＡ通信部２あるいはＷＬＡＮ通信部１０５を通じてネットワークに接続し、ユーザデータの送受信に使用するインターフェース（通信システム）を選択するためのポリシー（ポリシー情報）をＡＮＤＳＦサーバなどから受信する。ポリシー受信部１０１は、受信したポリシーをポリシー保持部１０２に出力する。
【００５８】
ユーザポリシー処理部１０４は、ユーザによって設定されたインターフェース選択に関する情報をユーザポリシーとしてポリシー保持部１０２に出力する。
【００５９】
ポリシー保持部１０２は、ポリシー受信部１０１から入力されたモバイルオペレータによるポリシーと、ユーザポリシー設定部１０４から入力されたユーザによるポリシーとを保持する。
【００６０】
インターフェース選択部１０３は、ポリシー保持部１０２のポリシーや、ＥＵＴＲＡ通信部２やＷＬＡＮ通信部１０５から入力される通信システムを選択するための情報（負荷情報やＲＡＮ補助情報）に基づき、ユーザデータを送受信するインターフェースを選択する。
【００６１】
ここで、ＥＵＴＲＡ通信部２やＷＬＡＮ通信部１０５から入力される通信システムを選択するための情報は、前述の負荷情報やＲＡＮ補助情報のように各通信システムから動的に通知される情報であり、前記ポリシーにおいて評価される（閾値と比較される）値であることが望ましいが、これに限らず、前記ポリシーの一部を構成する評価式やルールを含んでもよい。この場合、ＡＮＤＳＦサーバなどから受信するポリシー（第１のポリシー）に対して、第１のポリシーを補完するポリシー（第２のポリシー）がＥＵＴＲＡ通信部２からインターフェース選択部１０３に入力されてもよい。
【００６２】
図２は、本発明の実施形態に係る端末装置１のＥＵＴＲＡ通信部の構成の一例を示す図である。図２において、端末装置のＥＵＴＲＡ通信部２は、データ生成部２０１、送信データ記憶部２０２、送信ＨＡＲＱ処理部２０３、送信処理部２０４、無線部２０５、受信処理部２０６、受信ＨＡＲＱ処理部２０７、ＭＡＣ情報抽出部２０８、データ処理部２０９、測定部２１０、ＰＨＹ制御部２１１、ＭＡＣ制御部２１２、ＲＲＣ制御部２１３、およびＮＡＳ制御部２１４から構成される。
【００６３】
上位層からのユーザデータ、およびＲＲＣ制御部２１３からの制御データは、データ生成部２０１に入力される。データ生成部２０１は、ＰＤＣＰ層、ＲＬＣ層の機能を持つ。データ生成部２０１は、ユーザデータのＩＰパケットのヘッダ圧縮やデータの暗号化、データの分割及び結合等の処理を行い、データサイズを調節する。データ生成部２０１は、処理を行ったデータを送信データ記憶部２０２に出力する。
【００６４】
送信データ記憶部２０２は、データ生成部２０１から入力されたデータを蓄積し、ＭＡＣ制御部２１２からの指示に基づいて指示されたデータを指示されたデータ量分だけ送信ＨＡＲＱ処理部２０３に出力する。また、送信データ記憶部２０２は、蓄積されたデータのデータ量の情報をＭＡＣ制御部２１２に出力する。
【００６５】
送信ＨＡＲＱ処理部２０３は、入力データに符号化を行い、符号化したデータにパンクチャ処理を行う。そして、送信ＨＡＲＱ処理部２０３は、パンクチャしたデータを送信処理部２０４に出力し、符号化したデータを保存する。送信ＨＡＲＱ処理部２０３は、ＭＡＣ制御部２１２からデータの再送を指示された場合、保存してある（バッファリングしてある）符号化したデータから前回に行なったパンクチャと異なるパンクチャ処理を行い、パンクチャしたデータを送信処理部２０４に出力する。送信ＨＡＲＱ処理部２０３は、ＭＡＣ制御部２１２からデータの消去を指示された場合、指定されたセルに対応するデータの消去を行う。
【００６６】
送信処理部２０４は、送信ＨＡＲＱ処理部２０３から入力されたデータに変調・符号化を行なう。送信処理部２０４は、変調・符号化されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入し、ＣＰ挿入後のデータを上りリンクの各コンポーネントキャリア（セル）の物理上りリンク共用チャネル（ＰＵＳＣＨ）に配置し、無線部２０５に出力する。
【００６７】
また、送信処理部２０４は、ＰＨＹ制御部２１１から受信データの応答指示があった場合、ＡＣＫまたはＮＡＣＫ信号を生成し、生成した信号を物理上りリンク制御チャネル（ＰＵＣＣＨ）に配置し、無線部２０５に出力する。送信処理部２０４は、ＰＨＹ制御部２１１からランダムアクセスプリアンブルの送信指示があった場合、ランダムアクセスプリアンブルを生成し、生成した信号を物理ランダムアクセスチャネルＰＲＡＣＨに配置し、無線部２０５に出力する。
【００６８】
無線部２０５は、送信処理部２０４から入力されたデータをＰＨＹ制御部２１１から指示された送信位置情報（送信セル情報）の無線周波数にアップコンバートし、送信電力を調整して送信アンテナからデータを送信する。また、無線部２０５は、受信アンテナより受信した無線信号をダウンコンバートし、受信処理部２０６に出力する。無線部２０５は、ＰＨＹ制御部２１１から受信した送信タイミング情報を上りリンクの送信タイミングとして設定する。
【００６９】
受信処理部２０６は、無線部２０５から入力された信号をＦＦＴ（Fast Fourier Transform（高速フーリエ変換））処理、復号化、復調処理等を行なう。受信処理部２０６は、物理下りリンク制御チャネルＰＤＣＣＨまたは物理拡張下りリンク制御チャネルＥＰＤＣＣＨの復調を行い、自端末装置の下りリンク割り当て情報を検出した場合、下りリンク割り当て情報に基づいて、物理下りリンク共用チャネルＰＤＳＣＨの復調を行い、下りリンク割り当て情報を取得したことをＭＡＣ制御部２１２に出力する。
【００７０】
受信処理部２０６は、復調した物理下りリンク共用チャネルＰＤＳＣＨのデータを受信ＨＡＲＱ処理部２０７に出力する。受信処理部２０６は、物理下りリンク制御チャネルＰＤＣＣＨまたは物理拡張下りリンク制御チャネルＥＰＤＣＣＨの復調を行い、上りリンク送信許可情報（Uplink grant:上りリンクグラント）、上りリンク送信データの応答情報（ＡＣＫ／ＮＡＣＫ）を検出した場合、取得した応答情報をＭＡＣ制御部２１２に出力する。尚、上りリンク送信許可情報は、データの変調・符号化方式、データサイズ情報、ＨＡＲＱ情報、送信位置情報などがある。
【００７１】
受信ＨＡＲＱ処理部２０７は、受信処理部２０６からの入力データの復号処理を行い、復号処理に成功した場合、データをＭＡＣ情報抽出部２０８に出力する。受信ＨＡＲＱ処理部２０７は、入力データの復号処理に失敗した場合、復号処理に失敗したデータを保存する。受信ＨＡＲＱ処理部２０７は、再送データを受信した場合、保存してあるデータと再送データを合成し、復号処理を行う。また、受信ＨＡＲＱ処理部２０７は、入力データの復号処理の成否をＭＡＣ制御部２１２に通知する。
【００７２】
ＭＡＣ情報抽出部２０８は、受信ＨＡＲＱ処理部２０７から入力されたデータからＭＡＣ層（Medium Access Control layer）の制御データを抽出し、抽出したＭＡＣ制御情報をＭＡＣ制御部２１２に出力する。ＭＡＣ情報抽出部２０８は、残りのデータをデータ処理部２０９に出力する。データ処理部２０９は、ＰＤＣＰ層、ＲＬＣ層の機能を持ち、圧縮されたＩＰヘッダの伸長（復元）機能や暗号化されたデータの復号機能、データの分割及び結合等の処理を行い、データを元の形に戻す。データ処理部２０９は、データをＲＲＣメッセージとユーザデータに分け、ＲＲＣメッセージをＲＲＣ制御部２１３に出力し、ユーザデータを上位層に出力する。
【００７３】
測定部２１０は、受信処理部２０６でＦＦＴ処理された下りリンクリファレンスシグナルや同期シグナルなどを用いて在圏セルや隣接セルの受信電力（ＲＳＲＰ）や受信品質（ＲＳＲＱ）を測定し、測定結果をＲＲＣ制御部２１３に出力する。
【００７４】
ＰＨＹ制御部２１１は、ＭＡＣ制御部２１２からの指示により送信処理部２０４、無線部２０５、および、受信処理部２０６を制御する。ＰＨＹ制御部２１１は、ＭＡＣ制御部２１２から通知された変調・符号化方式、送信電力情報および送信位置情報（送信セル情報）から変調・符号化方式および送信位置を送信処理部２０４に通知し、送信セルの周波数情報および送信電力情報を無線部２０５に通知する。
【００７５】
ＭＡＣ制御部２１２は、ＭＡＣ層の機能を持ち、ＲＲＣ制御部２１３や下位層などから取得した情報をもとにＭＡＣ層の制御を行う。ＭＡＣ制御部２１２は、ＲＲＣ制御部２１３から指定されたデータ送信制御設定および送信データ記憶部２０２から取得したデータ量情報および受信処理部２０６から取得した上りリンク送信許可情報をもとにデータ送信先およびデータ送信優先順位を決定し、送信するデータに関する情報を送信データ記憶部２０２に通知する。また、ＭＡＣ制御部２１２は、送信ＨＡＲＱ処理部２０３にＨＡＲＱ情報を通知し、ＰＨＹ制御部２１１に変調・符号化方式を出力する。
【００７６】
また、ＭＡＣ制御部２１２は、受信処理部２０６から上りリンク送信データに対する応答情報を取得し、応答情報がＮＡＣＫ（否応答）を示していた場合、送信ＨＡＲＱ処理部２０３とＰＨＹ制御部２１１に再送を指示する。ＭＡＣ制御部２１２は、受信ＨＡＲＱ処理部２０７からデータの復号処理の成否情報を取得した場合、ＰＨＹ制御部２１１にＡＣＫまたはＮＡＣＫ信号を送信するように指示する。
【００７７】
ＲＲＣ制御部２１３は、基地局装置３との接続・切断処理、オフロードのためのＲＡＮ補助情報の取得、制御データおよびユーザデータのデータ送信制御設定など、基地局装置３と通信するための各種設定を行う。また、ＲＲＣ制御部２１３は、各種設定に伴うＮＡＳ制御部２１４と情報のやり取りを行い、前記各種設定に伴う下位層の制御を行う。
【００７８】
ＲＲＣ制御部２１３は、ＲＲＣメッセージを作成し、作成したＲＲＣメッセージをデータ生成部２０１に出力する。また、ＲＲＣ制御部２１３は、データ処理部２０９から入力されたＲＲＣメッセージを解析する。
【００７９】
また、ＲＲＣ制御部２１３は、ＭＡＣ層に必要な情報をＭＡＣ制御部２１２に出力し、物理層に必要な情報をＰＨＹ制御部２１１に出力する。
【００８０】
また、ＲＲＣ制御部２１３は、ＮＡＳ制御部２１４から入力される非アクセス層プロトコルのデータ（ＮＡＳメッセージ）を含むＲＲＣメッセージを作成し、作成したＲＲＣメッセージをデータ生成部２０１に出力する。ＲＲＣ制御部２１３は、データ処理部２０９から入力されたＲＲＣメッセージに非アクセス層プロトコルのデータが含まれる場合、ＮＡＳ制御部２１４に当該データを出力する。
【００８１】
また、ＲＲＣ制御部２１３は、ＲＡＮ補助情報（あるいはＲＡＮ補助情報を加工した情報）や、測定部２１０で測定された測定値（あるいは測定値を加工した情報）を、ＮＡＳ制御部２１４に出力する。
【００８２】
ＮＡＳ制御部２１４は、ＭＭＥに送信する非アクセス層プロトコルのデータを、ＲＲＣ制御部２１３に対して出力する。また、ＭＭＥから受信した非アクセス層プロトコルのデータが、ＲＲＣ制御部２１３を通じてＮＡＳ制御部２１４に入力される。
【００８３】
また、ＮＡＳ制御部２１４は、ＲＲＣ制御部２１３から入力されるＲＡＮ補助情報や測定値を（必要であれば加工して）上位層へ通知する。
【００８４】
尚、送信処理部２０４、無線部２０５、受信処理部２０６、ＰＨＹ制御部２１１は、物理層の動作を行い、送信データ記憶部２０２、送信ＨＡＲＱ処理部２０３、受信ＨＡＲＱ処理部２０７、ＭＡＣ情報抽出部２０８、ＭＡＣ制御部２１２は、ＭＡＣ層の動作を行い、データ生成部２０１及びデータ処理部２０９は、ＲＬＣ層及びＰＤＣＰ層の動作を行い、ＲＲＣ制御部２１３はＲＲＣ層の動作を行う。
【００８５】
図３は、本発明の実施形態に係る基地局装置の構成の一例を示す図である。基地局装置３は、データ生成部３０１、送信データ記憶部３０２、送信ＨＡＲＱ処理部３０３、送信処理部３０４、無線部３０５、受信処理部３０６、受信ＨＡＲＱ処理部３０７、ＭＡＣ情報抽出部３０８、データ処理部３０９、ＰＨＹ制御部３１０、ＭＡＣ制御部３１１、ＲＲＣ制御部３１２、基地局装置間通信部３１３、ＭＭＥ通信部３１４、およびＧＷ通信部３１５から構成される。
【００８６】
ＧＷ通信部３１５からのユーザデータおよびＲＲＣ制御３１２からの制御データは、データ生成部３０１に入力される。データ生成部３０１は、ＰＤＣＰ層、ＲＬＣ層の機能を持ち、ユーザデータのＩＰパケットのヘッダ圧縮やデータの暗号化、データの分割及び結合等の処理を行い、データサイズを調節する。データ生成部３０１は、処理を行ったデータとデータの論理チャネル情報を送信データ記憶部３０２に出力する。
【００８７】
送信データ記憶部３０２は、データ生成部３０１から入力されたデータをユーザ毎に蓄積し、ＭＡＣ制御部３１１からの指示に基づいて指示されたユーザのデータを指示されたデータ量分だけ送信ＨＡＲＱ処理部３０３に出力する。また、送信データ記憶部３０２は、蓄積されたデータのデータ量の情報をＭＡＣ制御部３１１に出力する。
【００８８】
送信ＨＡＲＱ処理部３０３は、入力データに符号化を行い、符号化したデータにパンクチャ処理を行う。そして、送信ＨＡＲＱ処理部３０３は、パンクチャしたデータを送信処理部３０４に出力し、符号化したデータを保存する。送信ＨＡＲＱ処理部３０３は、ＭＡＣ制御部３１１からデータの再送を指示された場合、保存してある符号化したデータから前回に行なったパンクチャと異なるパンクチャ処理を行い、パンクチャしたデータを送信処理部３０４に出力する。
【００８９】
送信処理部３０４は、送信ＨＡＲＱ処理部３０３から入力されたデータに変調・符号化を行なう。送信処理部３０４は、変調・符号化されたデータを各セルの物理下りリンク制御チャネルＰＤＣＣＨ、下りリンク同期信号、物理報知チャネルＰＢＣＨ、物理下りリンク共用チャネルＰＤＳＣＨなどの信号及び各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。
【００９０】
そして、送信処理部３０４は、生成したＯＦＤＭ信号を無線部３０５に出力する。また、送信処理部３０４は、ＭＡＣ制御部３１１から受信データの応答指示があった場合、ＡＣＫまたはＮＡＣＫ信号を生成し、生成した信号を物理下りリンク制御チャネルＰＤＣＣＨに配置し、無線部３０５に出力する。
【００９１】
無線部３０５は、送信処理部３０４から入力されたデータを無線周波数にアップコンバートし、送信電力を調整して送信アンテナからデータを送信する。また、無線部３０５は、受信アンテナより受信した無線信号をダウンコンバートし、受信処理部３０６に出力する。受信処理部３０６は、無線部３０５から入力された信号をＦＦＴ（Fast Fourier Transform（高速フーリエ変換））処理、復号化、復調処理等を行なう。
【００９２】
受信処理部３０６は、復調したデータの中で物理上りリンク共用チャネルＰＵＳＣＨのデータを受信ＨＡＲＱ処理部３０７に出力する。また、受信処理部３０６は、復調したデータの中で物理上りリンク制御チャネルＰＵＣＣＨから取得した制御データの下りリンク送信データの応答情報（ＡＣＫ／ＮＡＣＫ）、下りリンク無線品質情報（ＣＱＩ）及び上りリンク送信要求情報（スケジューリングリクエスト）をＭＡＣ制御部３１１に出力する。
【００９３】
受信処理部３０６は、ランダムアクセスプリアンブルを検出した場合、検出したランダムアクセスプリアンブルから送信タイミングを算出して、検出したランダムアクセスプリアンブルの番号と算出した送信タイミングをＭＡＣ制御部３１１に出力する。受信処理部３０６は、上りリンク参照信号から送信タイミングを算出して、算出した送信タイミングをＭＡＣ制御部３１１に出力する。
【００９４】
受信ＨＡＲＱ処理部３０７は、受信処理部３０６からの入力データの復号処理を行い、復号処理に成功した場合、データをＭＡＣ情報抽出部３０８に出力する。受信ＨＡＲＱ処理部３０７は、入力データの復号処理に失敗した場合、復号処理に失敗したデータを保存する。受信ＨＡＲＱ処理部３０７は、再送データを受信した場合、保存してあるデータと再送データを合成し、復号処理を行う。また、受信ＨＡＲＱ処理部３０７は、入力データの復号処理の成否をＭＡＣ制御部３１１に通知する。受信ＨＡＲＱ処理部３０７は、ＭＡＣ制御部３１１からデータの消去を指示された場合、指定されたセルに対応するデータの消去を行う。
【００９５】
ＭＡＣ情報抽出部３０８は、受信ＨＡＲＱ処理部３０７から入力されたデータからＭＡＣ層の制御データを抽出し、抽出した制御情報をＭＡＣ制御部３１１に出力する。ＭＡＣ情報抽出部３０８は、残りのデータをデータ処理部３０９に出力する。データ処理部３０９は、ＰＤＣＰ層、ＲＬＣ層の機能を持ち、圧縮されたＩＰヘッダの伸長（復元）機能や暗号化されたデータの復号機能、データの分割及び結合等の処理を行い、データを元の形に戻す。データ処理部３０９は、ＲＲＣメッセージとユーザデータに分け、ＲＲＣメッセージをＲＲＣ制御部３１２に出力し、ユーザデータをＭＭＥ通信部３１４やＧＷ通信部３１５に出力する。
【００９６】
ＭＡＣ制御部３１１は、ＭＡＣ層の機能を持ち、ＲＲＣ制御部３１２や下位層などから取得した情報をもとにＭＡＣ層の制御を行う。また、ＭＡＣ制御部３１１は、下りリンクおよび上りリンクのスケジューリング処理を行う。
【００９７】
また、ＭＡＣ制御部３１１は、受信処理部３０６から上りリンク送信データに対する応答情報を取得し、応答情報がＮＡＣＫ（否応答）を示していた場合、送信ＨＡＲＱ処理部３０３と送信処理部３０４に再送を指示する。ＭＡＣ制御部３１１は、受信ＨＡＲＱ処理部３０７からデータの復号処理の成否情報を取得した場合、送信処理部３０４にＡＣＫまたはＮＡＣＫ信号を送信するように指示する。
【００９８】
ＲＲＣ制御部３１２は、移動局装置３との接続・切断処理、オフロードのためのＲＡＮ補助情報の通知、制御データおよびユーザデータのデータ送信制御設定など、移動局装置１と通信を行うための各種設定を行い、ＭＭＥ通信部３１４等を通じて前記各種設定に伴う上位層との情報のやり取りを行い、前記各種設定に伴う下位層の制御を行う。
【００９９】
ＲＲＣ制御部３１２は、各種ＲＲＣメッセージを作成し、作成したＲＲＣメッセージをデータ生成部３０１に出力する。ＲＲＣ制御部３１２は、データ処理部３０９から入力されたＲＲＣメッセージを解析する。
【０１００】
また、ＲＲＣ制御部３１２は、ＭＡＣ層に必要な情報をＭＡＣ制御部３１１に出力し、物理層に必要な情報をＰＨＹ制御部３１０に出力する。また、ＲＲＣ制御部３１２は、ハンドオーバを行う場合、基地局装置間通信部３１３およびＭＭＥ通信部３１４に必要な情報を通知する。
【０１０１】
また、ＲＲＣ制御部３１２は、ＭＭＥ通信部３１４から入力される端末装置１へのＮＡＳメッセージを含むＲＲＣメッセージを作成し、作成したＲＲＣメッセージをデータ生成部３０１に出力する。ＲＲＣ制御部３１２は、データ処理部３０９から入力されたＲＲＣメッセージに非アクセス層プロトコルのデータが含まれる場合、ＭＭＥ通信部３１４に当該データを出力する。
【０１０２】
基地局装置間通信部３１３は、他の基地局装置３と通信し、ＲＲＣ制御部３１２から入力された基地局装置間の制御メッセージを他の基地局装置３に送信する。また、基地局装置間通信部３１３は、他の基地局装置３からの基地局装置間の制御メッセージを受信し、受信した制御メッセージをＲＲＣ制御部３１２に出力する。基地局装置間の制御メッセージは、ハンドオーバに関する制御メッセージなどがある。
【０１０３】
ＭＭＥ通信部３１４は、ＭＭＥと通信し、ＲＲＣ制御部３１２から入力された基地局装置−ＭＭＥ間の制御メッセージや、端末装置１からのＮＡＳメッセージをＭＭＥに送信する。また、ＭＭＥ通信部３１４は、ＭＭＥからの基地局装置−ＭＭＥ間の制御メッセージや、端末装置１へのＮＡＳメッセージを受信し、受信した制御メッセージをＲＲＣ制御部３１２に出力する。
【０１０４】
ＧＷ通信部３１５は、ＧＷと通信し、ＧＷから送られる端末装置１のユーザデータを受信し、受信したデータをデータ生成部３０１に出力する。また、ＧＷ通信部３１５は、データ処理部３０９から入力された端末装置１のユーザデータをＧＷに送信する。
【０１０５】
尚、送信処理部３０４、無線部３０５、受信処理部３０６は、ＰＨＹ層の動作を行い、送信データ記憶部３０２、送信ＨＡＲＱ処理部３０３、受信ＨＡＲＱ処理部３０７、ＭＡＣ情報抽出部３０８、ＭＡＣ制御部３１１は、ＭＡＣ層の動作を行い、データ生成部３０１及びデータ処理部３０９は、ＲＬＣ層及びＰＤＣＰ層の動作を行い、ＲＲＣ制御部３１２はＲＲＣ層の動作を行う。
【０１０６】
次に、本実施形態における端末装置１のインターフェース選択に関する処理の一例について説明する。図４は、端末装置１がインターフェースを選択するために、ＡＮＤＳＦサーバからポリシーを取得し、基地局装置３から無線アクセスネットワーク補助情報を取得する手順を示す図である。
【０１０７】
まず、端末装置１のポリシー受信部１０１は、インターフェース選択のポリシーを配信するサーバ（ここではＡＮＤＳＦサーバ）からポリシー（ＡＮＤＳＦ  ＭＯ）を受信し、ポリシー保持部１０２に保持する（ステップＳ４１）。このポリシーにはアクセスクラス毎のパラメータ（ルールや閾値など）が含まれる。例えば、すべてのアクセスクラス（あるいはアクセスクラスのグループ毎）に対してそれぞれのパラメータが含まれるようにしてもよいし、特定のアクセスクラス（ＡＣ１０）のパラメータを含めず、ＡＣ０−９に対するパラメータと、ＡＣ１１−１５に対するパラメータのみが含まれるようにしてもよい。
【０１０８】
端末装置１のＥＵＴＲＡ通信部２は、基地局装置３からＲＡＮ補助情報を取得する（ステップＳ４２）。ＲＡＮ補助情報は、報知情報から取得するようにしてもよいし、端末装置１（のＥＵＴＲＡ通信部２）宛のメッセージとして通知されてもよい。また、端末装置１のＥＵＴＲＡ通信部２は、報知情報から取得したＲＡＮ補助情報を端末装置１宛のメッセージに含まれるＲＡＮ補助情報で置き換えるようにしてもよい。ＲＡＮ補助情報には、アクセスクラス毎（あるいはアクセスクラスのグループ毎）のパラメータ（閾値など）が含まれる。また、ＲＡＮ補助情報にはアクセスクラス共通のパラメータが含まれてもよい。例えば図５に、アクセスクラス共通の情報として負荷情報（Ｌｏａｄ  Ｉｎｆｏｒｍａｔｉｏｎ）とアクセスクラスのグループ毎に閾値（ＲＡＮ  Ｔｈｒｅｓｈｏｌｄ、ＷＬＡＮ  Ｔｈｒｅｓｈｏｌｄ）が含まれる場合のＲＲＣメッセージの一例を示す。
【０１０９】
また、基地局装置３から報知（通知）されるＲＡＮ補助情報は、何れのアクセスクラスに適用されるかを示すビットマップ情報と、パラメータ（閾値など）の組であってもよい。
【０１１０】
端末装置１のＥＵＴＲＡ通信部２は、取得したＲＡＮ補助情報を、受信電力の測定値などの情報とともに、上位層（インターフェース選択部１０３）に出力する（ステップＳ４５）。インターフェース選択部１０３に出力するＲＡＮ補助情報は、保有するアクセスクラスに基づいて選択されたアクセスクラスの情報のみであってもよいし、すべてのアクセスクラスの情報であってもよい。
【０１１１】
また、必要であれば、端末装置１のＷＬＡＮ通信部１０５は、無線ＬＡＮのアクセスポイント（ＡＰ）から報知されるＡＰ負荷情報を取得し（ステップＳ４３）、受信電力の測定値などの情報とともにインターフェース選択部１０３に出力するようにしてもよい（ステップＳ４４）。
【０１１２】
インターフェース選択部１０３は、ポリシー保持部１０２で保持されているポリシーと、ＲＡＮ補助情報に基づいて評価をおこない、インターフェースを選択する（ステップＳ４６）。例えば、ポリシー保持部１０２がＩＳＲＰのルールとして、「ＥＵＴＲＡの在圏セルの受信電力が閾値Ａを下回り、かつ在圏セルの負荷が閾値Ｂを上回る場合に、特定のＩＰアドレス宛ての通信を、ＷＬＡＮ通信部を用いて特定のＡＰに接続する」を保持しており、ＲＡＮ補助情報として、閾値Ａと閾値Ｂとが通知される。ここで閾値Ａや閾値Ｂの値はアクセスクラス毎（あるいはアクセスクラスのグループ毎）に設定される。ＲＡＮ補助情報としてすべてのアクセスクラスの情報がＥＵＴＲＡ通信部２からインターフェース選択部１０３に入力されて、保有するアクセスクラスに基づいてインターフェース選択部１０３が使用する閾値を選択するようにしてもよいし、ＲＡＮ補助情報として保有するアクセスクラスの情報のみがＥＵＴＲＡ通信部２からインターフェース選択部１０３に入力されるようにしてもよい。このとき、端末装置１の保有するアクセスクラスがＡＣ１１−１５であり、かつ当該保有するアクセスクラスが有効となるネットワークに接続していない場合は、端末装置１はＡＣ０−９の何れかを保有するものとしてパラメータの選択を行うようにしてもよい。
【０１１３】
また、ＡＣ１０は緊急呼の際に設定されるアクセスクラスであるため、前述のように、サーバから受信するポリシーに含まれるアクセスクラス毎のパラメータは、ＡＣ１０のパラメータを含めず、ＡＣ０−９に対するパラメータと、ＡＣ１１−１５に対するパラメータのみが含まれるようにして、ＡＣ１０は既定のインターフェースを選択するようにしてもよい。また、すべてのアクセスクラスに共通のパラメータがポリシーに含まれており、ＡＣ１１−１５を保有する端末装置は、ポリシーにＡＣ１１−１５に対するパラメータが含まれる場合には、共通のパラメータをＡＣ１１−１５のパラメータで置き換えるようにしてもよい。
【０１１４】
また、ポリシーを配信するサーバが端末装置１の保有するアクセスクラスを認識している場合、当該アクセスクラスに基づくポリシーを端末装置１に個別通知するようにしてもよい。アクセスクラスは端末装置１がポリシーを配信するサーバに接続する際に通知するようにしてもよい。
【０１１５】
このようにして、無線通信システムにおいて、端末装置１が、端末装置１の保有するアクセスクラスに応じたポリシーおよびＲＡＮ補助情報を用いることにより、例えば、優先度の低い（ＡＣ０−９の）端末装置１を優先的に他の通信システム（ＷＬＡＮなど）にオフロードさせ、優先度の高い端末装置１の通信により多くの無線リソースを割り当てることなどが可能となる。また、アクセスクラス毎に閾値を変えることにより、他の通信システムに移るタイミングを分散させることも可能となる。
【０１１６】
［第２の実施形態］
以下、本発明の第２の実施形態について説明する。第１の実施形態ではインターフェース選択部１０３が自端末装置の保有するアクセスクラスを認識できる場合の例を示した。本実施形態では、インターフェース選択部１０３が自端末装置の保有するアクセスクラスを認識できない場合の例を示す。
【０１１７】
本実施形態の説明で用いる端末装置１、端末装置１のＥＵＴＲＡ通信部２および基地局装置３は、第１の実施形態と同様であるので詳細な説明は繰り返さない。
【０１１８】
本実施形態における端末装置１のインターフェース選択方法の一例について説明する。図６は、本実施形態における端末装置１がインターフェースを選択するために、ＡＮＤＳＦサーバからポリシーを取得し、基地局装置３から無線アクセスネットワーク補助情報を取得する手順を示す図である。
【０１１９】
まず、端末装置１のポリシー受信部１０１は、インターフェース選択のポリシーを配信するサーバ（ここではＡＮＤＳＦサーバ）からポリシー（ＡＮＤＳＦ  ＭＯ）を受信し、ポリシー保持部１０２に保持する（ステップＳ６１）。このポリシーにはすべてのアクセスクラス共通のパラメータ（ルールや閾値など）が含まれる。
【０１２０】
端末装置１のＥＵＴＲＡ通信部２は、基地局装置３からＲＡＮ補助情報を取得する（ステップＳ６２）。ＲＡＮ補助情報は、報知情報から取得するようにしてもよいし、端末装置１（のＥＵＴＲＡ通信部２）宛のメッセージとして通知されてもよい。または、報知情報から取得したＲＡＮ補助情報を端末装置１宛のメッセージに含まれるＲＡＮ補助情報で置き換えるようにしてもよい。ＲＡＮ補助情報には、アクセスクラス毎（あるいはアクセスクラスのグループ毎）のパラメータ（閾値など）が含まれる。また、ＲＡＮ補助情報にはアクセスクラス共通のパラメータが含まれてもよい。
【０１２１】
端末装置１のＥＵＴＲＡ通信部２は、取得したＲＡＮ補助情報から自端末装置の保有するアクセスクラスのパラメータを選択（抽出）する（ステップＳ６５）。このとき、端末装置１の保有するアクセスクラスがＡＣ１１−１５であり、かつ当該保有するアクセスクラスが有効となるネットワークに接続していない場合は、端末装置１はＡＣ０−９の何れかを保有するものとしてパラメータの選択を行うようにしてもよい。
【０１２２】
例えば、ステップＳ６５は、ＲＲＣ制御部２１３で行われてもよい。すなわち、ＲＲＣ制御部２１３はＲＡＮ補助情報を保持するための変数を持ち、自端末装置の保有するアクセスクラスと保有する前記アクセスクラスの有効性に基づいて、基地局装置から報知されるＲＲＣメッセージに含まれるＲＡＮ補助情報の中から、自端末装置で有効となるＲＡＮ補助情報を選択して前記変数に格納し、前記変数を上位層に転送するようにしてもよい。
【０１２３】
また、例えば、ステップＳ６５は、ＮＡＳ制御部２１４で行われてもよい。すなわち、ＮＡＳ制御部２１４はＲＲＣ制御部２１３から入力されるＲＡＮ補助情報を保持するための変数を持ち、自端末装置の保有するアクセスクラスと保有する前記アクセスクラスの有効性に基づいて、基地局装置から報知されるＲＲＣメッセージに含まれるＲＡＮ補助情報の中から、自端末装置で有効となるＲＡＮ補助情報を選択して前記変数に格納し、前記変数を上位層に転送するようにしてもよい。
【０１２４】
端末装置１のＥＵＴＲＡ通信部２は、ステップＳ６５で選択されたＲＡＮ補助情報を、受信電力の測定値などの情報とともに、上位層（インターフェース選択部１０３）に出力する（ステップＳ６６）。
【０１２５】
また、必要であれば、端末装置１のＷＬＡＮ通信部１０５は、無線ＬＡＮのアクセスポイント（ＡＰ）から報知されるＡＰ負荷情報を取得し（ステップＳ６３）、受信電力の測定値などの情報とともにインターフェース選択部１０３に出力するようにしてもよい（ステップＳ６４）。
【０１２６】
インターフェース選択部１０３は、ポリシー保持部１０２で保持されているポリシーと、ＲＡＮ補助情報に基づいて評価をおこない、インターフェースを選択する（ステップＳ６７）。例えば、ポリシー保持部１０２がＩＳＲＰのルールとして、「ＥＵＴＲＡの在圏セルの受信電力が閾値Ａを下回り、在圏セルの負荷が閾値Ｂを上回る場合に、特定のＩＰアドレス宛ての通信を、ＷＬＡＮ通信部を用いて特定のＡＰに接続して送信する」を保持しており、ＲＡＮ補助情報として、閾値Ａと閾値Ｂとが通知される。ここで閾値Ａや閾値Ｂの値はアクセスクラス毎（あるいはアクセスクラスのグループ毎）に設定されるが、ＥＵＴＲＡ通信部２からＲＡＮ補助情報として保有するアクセスクラスの情報のみがインターフェース選択部１０３に入力されるため、インターフェース選択部１０３は自端末装置の保有するアクセスクラスを認識する必要がない。ただし、インターフェース選択部１０３は、自端末装置が緊急呼する際にはＡＣ１０であると認識して、既定のインターフェースを優先して選択するようにしてもよい。
【０１２７】
また、ポリシーを配信するサーバが端末装置１の保有するアクセスクラスを知っている場合、当該アクセスクラスに基づくポリシーを端末装置１に個別通知するようにしてもよい。
【０１２８】
このように端末装置１が、端末装置１の保有するアクセスクラスに応じたポリシーおよびＲＡＮ補助情報を用いることにより、例えば、優先度の低い端末装置１を優先的にＷＬＡＮにオフロードさせ、優先度の高い端末装置１の通信により多くの無線リソースを割り当てることが可能となる。また、アクセスクラス毎に閾値を変えることにより、他の通信システムに移るタイミングを分散させることも可能となる。
【０１２９】
さらに、ＥＵＴＲＡ通信部２内でアクセスクラスに応じたインターフェース選択のためのパラメータ設定することにより、ポリシーを配信するサーバおよびインターフェース選択部１０３が、端末装置１の保有するアクセスクラスを認識する必要なく、インターフェースの選択を行うことができる。
【０１３０】
なお、上記第２の実施形態では、アクセスクラスに基づいて、パラメータ（ルールや閾値）を選択する例を示したが、これに限らず、負荷情報や受信電力測定値などを保有するアクセスクラスに基づいて何らかの処理を行い、インターフェース選択部１０３に出力するようにしてもよい。例えば、自端末装置がＡＣ１１−１５のアクセスクラスを保有する場合、基地局装置によって報知された負荷情報に１未満の係数を乗じたり、受信電力測定値に１以上の係数を乗じたりすることで、ＡＣ０−９のアクセスクラスを保有する端末装置を優先的に他のシステムにオフロードさせることなどができる。
【０１３１】
以上、本発明に係る実施形態を説明してきたが、これらの実施形態で示される各パラメータの名称は、説明の便宜上呼称しているものであって、実際に適用されるパラメータ名称と本発明のパラメータ名称とが異なっていても、本発明が主張する発明の趣旨に影響するものではない。
【０１３２】
また、上記実施形態では、端末装置の種類として、アクセスクラスに基づいたポリシーやＲＡＮ補助情報の選択について説明したが、端末装置をグループ化する他の情報に基づいてポリシーやＲＡＮ補助情報が選択されてもよい。例えば、人間の操作を介さない小型モジュール通信向け（Ｍａｃｈｉｎｅ−Ｔｙｐｅ−Ｃｏｍｍｕｎｉｃａｔｉｏｎ：ＭＴＣ）端末か否か、あるいは高速移動端末か否かなどに基づいてポリシーやＲＡＮ補助情報が選択されてもよい。
【０１３３】
また、図面を参照してこの発明の一実施形態について詳しく説明してきたが、具体的な構成は上述のものに限られることはなく、この発明の要旨を逸脱しない範囲内において様々な設計変更等をすることが可能である。
【０１３４】
また、前述した実施形態の端末装置１は、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置などにも適用できる。端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置３は、無線基地局装置、基地局、無線基地局、固定局、ＮＢ（Ｎｏｄｅ−Ｂ）、ｅＮＢ（ｅｖｏｌｖｅｄ  Ｎｏｄｅ−Ｂ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１３５】
また、説明の便宜上、実施形態の端末装置１、端末装置１のＥＵＴＲＡ通信部２、および基地局装置３を機能的なブロック図を用いて説明したが、端末装置１、端末装置１のＥＵＴＲＡ通信部２、および基地局装置３の各部の機能またはこれらの機能の一部を実現するための方法またはアルゴリズムのステップは、ハードウェア、プロセッサによって実行されるソフトウェアモジュール、またはこれら２つを組み合わせたものによって、直接的に具体化され得る。もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１３６】
そして、一つ以上の命令またはコードをコンピュータ読み取り可能な記録媒体に記録し、この記録媒体に記録された一つ以上の命令またはコードをコンピュータシステムに読み込ませ、実行することにより基地局装置３や端末装置１の制御を行なっても良い。なお、ここでいう「コンピュータシステム」とは、ＯＳや周辺機器等のハードウェアを含むものとする。
【０１３７】
本発明の各実施形態に記載の動作をプログラムで実現してもよい。本発明の各実施形態に関わる端末装置１、端末装置１のＥＵＴＲＡ通信部２、あるいは基地局装置３で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。また、プログラムを実行することにより、前述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１３８】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１３９】
また、上記プログラムは、前述した機能の一部を実現するためのものであっても良く、さらに、前述した機能をコンピュータシステムに既に記録されているプログラムとの組み合わせで実現できるものであっても良い。
【０１４０】
また、上記各実施形態に用いた端末装置１、端末装置１のＥＵＴＲＡ通信部２、および基地局装置３の各機能ブロック、または諸特徴は、本明細書で述べられた機能を実行するように設計された汎用用途プロセッサ、デジタルシグナルプロセッサ（ＤＳＰ）、特定用途向けあるいは一般用途向けの集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または前述した各回路は、デジタル回路で構成されていてもよいし、アナログ回路で構成されていてもよい。
【０１４１】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。また、半導体技術の進歩によりＬＳＩに代替する集積回路化の技術が出現した場合、当該技術による集積回路を用いることも可能である。
【０１４２】
以上、本発明の実施形態について特定の具体例に基づいて詳述してきたが、本発明の趣旨ならびに特許請求の範囲は、これら特定の具体例に限定されないことは明らかである。すなわち、本明細書の記載は例示説明を目的としたものであり、本発明に対して何ら制限を加えるものではない。
【産業上の利用可能性】
【０１４３】
本発明の一態様は、端末装置の種類に応じた無線アクセスネットワーク補助情報を用いる無線通信システム、端末装置、無線通信方法および集積回路などに適用することができる。
【符号の説明】
【０１４４】
１…端末装置
２…ＥＵＴＲＡ通信部
３…基地局装置
１０１…ポリシー受信部
１０２…ポリシー保持部
１０３…インターフェース選択部
１０４…ユーザポリシー処理部
１０５…ＷＬＡＮ通信部
２０１、３０１…データ生成部
２０２、３０２…送信データ記憶部
２０３、３０３…送信ＨＡＲＱ処理部
２０４、３０４…送信処理部
２０５、３０５…無線部
２０６、３０６…受信処理部
２０７、３０７…受信ＨＡＲＱ処理部
２０８、３０８…ＭＡＣ情報抽出部
２０９、３０９…データ処理部
２１０…測定部
２１１、３１０…ＰＨＹ制御部
２１２、３１１…ＭＡＣ制御部
２１３、３１２…ＲＲＣ制御部
２１４…ＮＡＳ制御部
３１３…基地局装置間通信部
３１４…ＭＭＥ通信部
３１５…ＧＷ通信部
【図１】
2015045701.tif 000003
【図２】
2015045701.tif 000004
【図３】
2015045701.tif 000005
【図４】
2015045701.tif 000006
【図５】
2015045701.tif 000007
【図６】
2015045701.tif 000008
【図７】
2015045701.tif 000009
【図８】
2015045701.tif 000010
【国際調査報告】
2015045701.tif 000011
2015045701.tif 000012